(57)【特許請求の範囲】
【請求項１】
洗濯兼脱水槽を回転させる中空の脱水軸と、前記洗濯兼脱水槽内に配設した撹拌翼を回転させかつ前記脱水軸と同軸上に配設した洗濯軸と、モータの回転を脱水軸、洗濯軸のいずれかに切り換えるクラッチ機構とを備え、前記クラッチ機構は、略円筒状のスライド板の外周に設けたつば部を保持するクラッチ板と、前記クラッチ板に軸支し上下させるクラッチレバーとを有し、前記クラッチレバーにより前記クラッチ板を介して前記スライド板を上下動させ洗濯・脱水を切り換えるよう構成した洗濯機において、前記クラッチ板の内径部に円形状の凸部を設け、前記スライド板のつば部を保持するようにした洗濯機。
【請求項２】
クラッチ板に軸支するクラッチレバーの穴部を長穴にした請求項１記載の洗濯機。
【発明の詳細な説明】
【０００１】
【発明の属する技術分野】
本発明は、衣類の洗い、すすぎ、脱水を行う洗濯機に関するものである。
【０００２】
【従来の技術】
従来、この種の洗濯機は、図７および図８に示すように構成していた。以下、その構成について説明する。
【０００３】
図７に示すように、洗濯機本体１は、内部にサスペンション２によって支持した水受け槽３を設け、水受け槽３内に洗濯兼脱水槽４を回転自在に設け、この洗濯兼脱水槽４は天面を開口しており、洗濯物を天面から投入できるようになっている。また、底部には撹拌翼５を回転自在に設け、側面には多数の孔を有している。
【０００４】
洗濯兼脱水槽４は、図８に示すように、水受け槽３の底面に設けた軸受６によって支持されている脱水軸７に固定されており、撹拌翼５は、脱水軸７の内部に軸受８によって支持されている洗濯軸９に固定されている。この洗濯軸９は減速機構１０につながり、減速機構入力軸１１にはプーリ１２を取り付け、ベルト１３を介してモータ１４に連結してい
る。
【０００５】
減速機構入力軸１１には、モータ１４の回転を洗濯軸９または脱水軸７に切り換えて伝達するためのクラッチ機構１５を有する構成としている。
【０００６】
クラッチ機構１５は、図８（ｂ）に示すように、脱水軸７の下部にセレーション等のスライド部１６を設け、脱水時は、これにはめ合うスライド板１７をばね１８により下に押さえており、スライド板１７の下部に設けた凸部１７ａをプーリ１２の凹部１２ａにはめ合わせることで、プーリ１２の回転を脱水軸７に伝達する構成としている。
【０００７】
また、洗濯時は、図８（ａ）に示すように、ハウジング１９に軸支した略Ｕ字形状のクラッチレバー２０がスライド板１７の外周のつば部１７ｂに当接し、スライド板１７を上に移動させることにより、スライド板１７の下部に設けた凸部１７ａをプーリ１２の凹部１２ａからはずすことで、プーリ１２の回転を減速機構入力軸１１に伝え、減速機構１０、洗濯軸９を通して撹拌翼５を回転させる構成としている。
【０００８】
【発明が解決しようとする課題】
このような従来の構成では、略Ｕ字形状のクラッチレバー２０とスライド板１７の外周のつば部１７ｂとの当接部２１はスライド板１７が上下することで軸芯から外れるため、スライド板１７の上下動がスムーズに行かなかったり、スライド板１７が途中で上下動しなくなり、洗濯・脱水が切り換わるらなくなるという問題があった。
【０００９】
また、略Ｕ字形状のクラッチレバー２０とスライド板１７の外周のつば部１７ｂとの当接部２１は摩擦により摩耗してしまい、洗濯・脱水が切り換わらなくなったり、切換時に異常音が発生したりするといった問題があった。
【００１０】
本発明は上記従来の課題を解決するもので、洗濯・脱水の切り換えをスムーズにし、異常音の発生、部品の摩耗などをなくして耐久性、信頼性を向上することを目的としている。
【００１１】
【課題を解決するための手段】
本発明は上記目的を達成するために、洗濯兼脱水槽を回転させる中空の脱水軸と同軸上に、洗濯兼脱水槽内に配設した撹拌翼を回転させる洗濯軸を配設し、モータの回転をクラッチ機構により脱水軸、洗濯軸のいずれかに切り換えるよう構成し、クラッチ機構は、略円筒状のスライド板の外周に設けたつば部を保持するクラッチ板と、クラッチ板に軸支し上下させるクラッチレバーとを有し、クラッチレバーによりクラッチ板を介してスライド板を上下動させ洗濯・脱水を切り換えるよう構成した洗濯機において、クラッチ板の内径部に円形状の凸部を設け、スライド板のつば部を保持するようにしたものである。
【００１２】
これにより、洗濯・脱水の切り換えをスムーズにでき、異常音の発生、部品の摩耗などをなくすることができ、耐久性、信頼性を向上することができる。
【００１３】
【発明の実施の形態】
本発明の請求項１に記載の発明は、洗濯兼脱水槽を回転させる中空の脱水軸と、前記洗濯兼脱水槽内に配設した撹拌翼を回転させかつ前記脱水軸と同軸上に配設した洗濯軸と、モータの回転を脱水軸、洗濯軸のいずれかに切り換えるクラッチ機構とを備え、前記クラッチ機構は、略円筒状のスライド板の外周に設けたつば部を保持するクラッチ板と、前記クラッチ板に軸支し上下させるクラッチレバーとを有し、前記クラッチレバーにより前記クラッチ板を介して前記スライド板を上下動させ洗濯・脱水を切り換えるよう構成した洗濯機において、前記クラッチ板の内径部に円形状の凸部を設け、前記スライド板のつば部を保持するようにしたものであり、クラッチ板によりスライド板のつば部を保持しているので、クラッチレバーを上下させてスライド板を上下させることにより、クラッチ板とクラッチレバーの軸部が脱水軸の軸芯よりずれても、クラッチ板とスライド板は水平を保つことができ、スライド板が傾かないので、スライド板の上下動がスムーズに行かなかったり、スライド板が途中で上下動しなくなり、洗濯・脱水が切り換わらなくなることもない。また、クラッチ板とスライド板の外周のつば部とは全周接触しており、摩擦により摩耗したり、洗濯・脱水が切り換わらなくなったり、切り換え時に異常音が発生したりすることがなくなり、耐久性、信頼性を向上することができる。
【００１４】
また、クラッチ板とスライド板の外周のつば部とは全周接触しており、摩擦により摩耗したり、洗濯・脱水が切り換わらなくなったり、切り換え時に異常音が発生したりするとことがなくなり、また、つば部の外周にグリスを塗布すれば、つば部はグリス溜まりを形成し、さらに耐久性、信頼性を向上することができる。
【００１５】
請求項２に記載の発明は、上記請求項１に記載の発明において、クラッチ板に軸支するクラッチレバーの穴部を長穴にしたものであり、クラッチ板とクラッチレバーの軸部がクラッチレバーを上下させ、スライド板を上下させても脱水軸の軸芯よりずれないため、クラッチ板とスライド板は水平を保つことができ、スライド板が傾かないので、スライド板の上下動がスムーズに行かなかったり、スライド板が途中で上下動しなくなり、洗濯・脱水が切り換わらなくなることもなく、耐久性、信頼性を向上することができる。
【００１６】
【実施例】
以下、本発明の実施例について、図面を参照しながら説明する。なお、従来例と同じ構成のものは同一符号を付して説明を省略する。また、洗濯機の全体構成は従来例と同じであるので説明を省略する。
【００１７】
（実施例１）
図１に示すように、クラッチ機構２２は、モータ１４の回転を洗濯軸９または脱水軸７に切り換えて伝達する洗濯・脱水切換装置を構成するもので、図２に示すような、脱水軸７の下部に設けたセレーション等のスライド部１６にはめ合う略円筒状のスライド板２３と、図３に示すような、スライド板２３のつば部２３ｂを保持する略有底円筒状のクラッチ板２４と、図４に示すような、クラッチ板２４に軸支し上下させるクラッチレバー２５とを備え、クラッチレバー２５によりクラッチ板２４を介してスライド板２３を上下動させ、洗濯・脱水を切り換えるよう構成している。
【００１８】
上記構成において動作を説明する。図１（ｂ）に示すように、脱水時は、クラッチ機構２２は、脱水軸７の下部に設けたスライド部１６にはめ合うスライド板２３をばね１８により下に押さえており、スライド板２３の下部に設けた凸部２３ａをプーリ１２の凹部１２ａにはめ合わせることで、プーリ１２の回転を脱水軸７に伝達する。
【００１９】
つぎに、洗濯時は、図１（ａ）に示すように、クラッチレバー２５によりクラッチ板２４を介してスライド板２３をばね１８のばね力に抗して上方向に移動させる。このとき、略有底円筒状のクラッチ板２４によりスライド板２３のつば部２３ｂを保持しているので、クラッチレバー２５を上下させ、クラッチ板２４を介してスライド板２３を上下させることにより、クラッチ板２４とクラッチレバー２５の軸部２６が脱水軸７の軸芯よりずれても、クラッチ板２４とスライド板２３は水平を保つことができ、スライド板２３が傾かないので、スライド板２３の上下動がスムーズに行かなかったり、スライド板２３が途中で上下動しなくなり、洗濯・脱水が切り換わらなくなることもない。
【００２０】
また、略有底円筒状のクラッチ板２４とスライド板２３の外周のつば部２３ｂとは全周で接触しており、摩擦により摩耗したり、洗濯・脱水が切り換わらなくなったり、切り換え時に異常音が発生したりすることがなくなり、耐久性、信頼性を向上することができる。
【００２１】
（実施例２）
図５に示すように、クラッチ板２４に軸支するクラッチレバー２７の穴部２８を長穴にしている。他の構成は上記実施例１と同じである。
【００２２】
上記構成において動作を説明する。クラッチレバー２７を上下させてスライド板２３を上下させたとき、クラッチレバー２７の穴部２８を長穴にしているので、クラッチ板２４とクラッチレバー２７の軸部２６が脱水軸７の軸芯よりずれないことはない。
【００２３】
このため、クラッチ板２４とスライド板２３は水平を保つことができ、スライド板２３が傾かないので、スライド板２３の上下動がスムーズに行かなかったり、スライド板２３が途中で上下動しなくなり、洗濯・脱水が切り換わらなくなることもなく、耐久性、信頼性を向上することができる。
【００２４】
（実施例３）
図６に示すように、クラッチ板２９は、略有底円筒状で、内径部に円形状の凸部２９ａを設け、この凸部２９ａによりスライド板２３のつば部２３ｂを保持するようにしている。他の構成は上記実施例２と同じである。
【００２５】
上記構成において動作を説明する。略有底円筒状のクラッチ板２９とスライド板２３の外周のつば部２３ｂとは凸部２９ａにより全周接触しており、クラッチレバー２７を上下させ、クラッチ板２９とスライド板２３を上下させても、摩擦により摩耗したり、洗濯・脱水が切り換わらなくなったり、切り換え時に異常音が発生したりすることがなくなり、また、クラッチ板２９の内径部の円形状の凸部２９ａ外周にグリスを塗布することで、つば部２３ｂはグリス溜まりを形成し、さらに耐久性、信頼性を向上することができる。
【００２６】
【発明の効果】
以上のように本発明の請求項１に記載の発明によれば、洗濯兼脱水槽を回転させる中空の脱水軸と、前記洗濯兼脱水槽内に配設した撹拌翼を回転させかつ前記脱水軸と同軸上に配設した洗濯軸と、モータの回転を脱水軸、洗濯軸のいずれかに切り換えるクラッチ機構とを備え、前記クラッチ機構は、略円筒状のスライド板の外周に設けたつば部を保持するクラッチ板と、前記クラッチ板に軸支し上下させるクラッチレバーとを有し、前記クラッチレバーにより前記クラッチ板を介して前記スライド板を上下動させ洗濯・脱水を切り換えるよう構成した洗濯機において、前記クラッチ板の内径部に円形状の凸部を設け、前記スライド板のつば部を保持するようにしたから、クラッチ板によりスライド板のつば部を保持しているので、クラッチレバーを上下させてスライド板を上下させることにより、クラッチ板とクラッチレバーの軸部が脱水軸の軸芯よりずれても、クラッチ板とスライド板は水平を保つことができ、スライド板が傾かないので、スライド板の上下動がスムーズに行かなかったり、スライド板が途中で上下動しなくなり、洗濯・脱水が切り換わらなくなることもない。また、クラッチ板とスライド板の外周のつば部とは全周接触しており、摩擦により摩耗したり、洗濯・脱水が切り換わらなくなったり、切り換え時に異常音が発生したりすることがなくなり、耐久性、信頼性を向上することができる。
【００２７】
また、クラッチ板とスライド板の外周のつば部とは全周接触しており、摩擦により摩耗したり、洗濯・脱水が切り換わらなくなったり、切り換え時に異常音が発生したりすることがなくなり、また、つば部の外周にグリスを塗布すれば、つば部はグリス溜まりを形成し、さらに耐久性、信頼性を向上することができる。
【００２８】
また、請求項２に記載の発明によれば、クラッチ板に軸支するクラッチレバーの穴部を長穴にしたから、クラッチ板とクラッチレバーの軸部がクラッチレバーを上下させ、スライド板を上下させても脱水軸の軸芯よりずれないため、クラッチ板とスライド板は水平を保つことができ、スライド板が傾かないので、スライド板の上下動がスムーズに行かなかったり、スライド板が途中で上下動しなくなり、洗濯・脱水が切り換わらなくなることもなく、耐久性、信頼性を向上することができる。
【図面の簡単な説明】
【図１】  （ａ）本発明の第１の実施例の洗濯機の洗濯・脱水切換装置の洗濯時の状態の断面図
（ｂ）同洗濯機の洗濯・脱水切換装置の脱水時の状態の要部断面図
【図２】  （ａ）同洗濯機の洗濯・脱水切換装置のスライド板の断面図
（ｂ）同洗濯機の洗濯・脱水切換装置のスライド板の下面図
【図３】  （ａ）同洗濯機の洗濯・脱水切換装置のクラッチ板の断面図
（ｂ）同洗濯機の洗濯・脱水切換装置のクラッチ板の下面図
【図４】  （ａ）同洗濯機の洗濯・脱水切換装置のクラッチレバーの上面図
（ｂ）同洗濯機の洗濯・脱水切換装置のクラッチレバーの側面図
【図５】  本発明の第２の実施例の洗濯機の洗濯・脱水切換装置の洗濯時の状態の断面図
【図６】  本発明の第３の実施例の洗濯機の洗濯・脱水切換装置の洗濯時の状態の断面図
【図７】  従来の洗濯機の断面図
【図８】  （ａ）同洗濯機の洗濯・脱水切換装置の洗濯時の状態の断面図
（ｂ）同洗濯機の洗濯・脱水切換装置の脱水時の状態の要部断面図
【符号の説明】
７      脱水軸
９      洗濯軸
２２    クラッチ機構
２３    スライド板
２３ｂ  つば部
２４    クラッチ板
２５    クラッチレバー
【図１】
0004407036.tif 000002
【図２】
0004407036.tif 000003
【図３】
0004407036.tif 000004
【図４】
0004407036.tif 000005
【図５】
0004407036.tif 000006
【図６】
0004407036.tif 000007
【図７】
0004407036.tif 000008
【図８】
0004407036.tif 000009